(57)【要約】【課題】ロック装置と係合ロックする係合部材をロック装置の接近・離間移動に伴ってロック可能に突出させたり引込んだりする機構を簡素化する。【解決手段】互いに係合ロック可能に構成されたバックロック装置１０（ロック装置）とストライカＳ１（係合部材）との組み合わせからなる車両用ロック構造である。ストライカＳ１は常時は附勢によって車体側部Ｔに引き込まれた状態に保持されている。バックロック装置１０はストライカＳ１を受け入れ可能な受入口１１ａを有するベース体１１とこれに回転可能に軸支されて受入口１１ａとの間でストライカＳ１を挟み込んだロック状態を形成可能なラッチ１２とラッチ１２の回転運動をストライカＳ１のロック位置でロックするポール１３とを有する。ラッチ１２にはストライカＳ１への接近移動によってストライカＳ１に掛け入れられてこれを引き出して受入口１１ａ内に移動案内する下顎１２ｂが形成されている。【選択図】図３
2010006211.tif 000002
【特許請求の範囲】
【請求項１】
互いに係合ロック可能に構成されたロック装置と係合部材との組み合わせからなる車両用ロック構造であって、
前記係合部材は、常時はその設置された支持体に附勢によって引き込まれた状態に保持されており、
前記ロック装置は、前記係合部材を受け入れ可能な凹部を有するベース体と、該ベース体に回転可能に軸支されて該ベース体の凹部との間で前記係合部材を挟み込んだロック状態を形成可能なラッチと、該ラッチの回転運動を前記係合部材のロック位置でロックすることのできるポールと、を有し、
更に、前記ロック装置には、該ロック装置を係合部材に接近させる移動によって該係合部材に掛けられて該係合部材を前記支持体に引き込まれた姿勢から附勢に抗して引き出して前記ベース体の凹部内に移動案内する案内体が設けられていることを特徴とする車両用ロック構造。
【請求項２】
請求項１に記載の車両用ロック構造であって、
前記ロック装置に設けられる案内体は前記ラッチに形成されており、前記ロック装置が前記係合部材に接近する移動によって前記係合部材が前記案内体に移動案内されて前記ベース体の凹部内に向けて移動することにより、前記ラッチが押し回されて前記係合部材を前記ベース体の凹部との間で挟み込んだロック状態となって前記ポールによって回転ロックされる構成であることを特徴とする車両用ロック構造。
【請求項３】
請求項１又は請求項２に記載の車両用ロック構造であって、
前記ロック装置は車両用シートのシート本体に配設されており、前記係合部材は前記支持体となる車体側構造体に設けられており、該係合部材は前記シート本体を車体フロア上の使用位置に移動させる動作によって引き出されて前記ロック装置と係合ロックするが、該係合ロック状態を解除して前記シート本体を車体フロア上の使用位置から移動させる動作によって附勢によって車体側構造体に引き込まれる構成であることを特徴とする車両用ロック構造。
【請求項４】
請求項１から請求項３のいずれかに記載の車両用ロック構造であって、
前記案内体は前記ロック装置が前記係合部材に接近する移動によって該係合部材と前記支持体との間の隙間内に入り込んで該係合部材をその隙間内に入り込んだ傾斜面によって前記ベース体の凹部内に向けて移動案内する先細形状に形成されていることを特徴とする車両用ロック構造。
【発明の詳細な説明】
【技術分野】
【０００１】
本発明は、車両用ロック構造に関する。詳しくは、互いに係合ロック可能に構成されたロック装置と係合部材との組み合わせからなる車両用ロック構造に関する。
【背景技術】
【０００２】
従来、車両のシート構造において、シート本体を着座使用される使用位置から車両前方や側方に跳ね上げるなどして格納移動させられるようになっているものがある。そして、このような格納式シートにおいては、シート本体を格納移動させた状態に保持するために、シート本体とその格納先となる車体等の構造体との間にロック構造が配設されている。ここで、下記特許文献１には、格納式シートのロック構造の一例が開示されている。
【０００３】
この開示では、車体側壁部に、シート本体に設けられたロック装置と係合ロックすることのできるストライカが配設されている。このストライカは、車体側壁部から突出することで、シート本体の格納移動に伴って接近してくるロック装置に入り込んで係合ロックする構成となっている。このストライカは、常時は車体側壁部に折畳まれた状態に保持されており、シート本体の格納移動に伴って、シート本体との間に連結されたケーブルの牽引操作を介して起こし上げられて突出した姿勢状態に切り換えられるようになっている。
【０００４】
【特許文献１】実開昭６１−７８７４１号公報
【発明の開示】
【発明が解決しようとする課題】
【０００５】
しかし、上記開示の従来技術では、シート本体の動きに合わせてストライカを起倒回転させるために、シート本体とストライカとの間にシート本体の動きを検知するための機構やこの検知した動きをストライカに伝達するための機構が設けられており、構造が複雑となっている。
【０００６】
本発明は、上記した問題を解決するものとして創案されたものであって、本発明が解決しようとする課題は、ロック装置と係合ロックする係合部材をロック装置の接近・離間移動に伴ってロック可能に突出させたり引込んだりする機構を簡素化することにある。
【課題を解決するための手段】
【０００７】
上記課題を解決するために、本発明の車両用ロック構造は次の手段をとる。
先ず、第１の発明は、互いに係合ロック可能に構成されたロック装置と係合部材との組み合わせからなる車両用ロック構造である。係合部材は、常時はその設置された支持体に附勢によって引き込まれた状態に保持されている。ロック装置は、係合部材を受け入れ可能な凹部を有するベース体と、ベース体に回転可能に軸支されてベース体の凹部との間で係合部材を挟み込んだロック状態を形成可能なラッチと、ラッチの回転運動を係合部材のロック位置でロックすることのできるポールと、を有する。更に、ロック装置には、ロック装置を係合部材に接近させる移動によって係合部材に掛けられて、係合部材を支持体に引き込まれた姿勢から附勢に抗して引き出してベース体の凹部内に移動案内する案内体が設けられている。
【０００８】
この第１の発明によれば、係合部材は、ロック装置と係合ロックしていない時には、附勢によって支持体に引き込まれた状態に保持される。そして、ロック装置をこの係合部材に向けて接近移動させることにより、ロック装置に設けられた案内体が係合部材に掛けられて、係合部材をベース体の凹部内に向けて引き出す方向に移動させる。そして、係合部材は、ベース体の凹部内に受け入れられて、ラッチによって挟み込まれた状態にロックされることにより、ロック装置に係合ロックした状態として保持される。このように、ロック装置に係合部材を附勢に抗して引き出し操作することのできる案内体を設けた簡素な構成によって、係合部材をロック装置の接近・離間移動に伴ってロック可能に突出させたり引込んだりする機構を構成することができる。
【０００９】
次に、第２の発明は、上述した第１の発明において、ロック装置に設けられる案内体は、ラッチに形成されている。ロック装置が係合部材に接近する移動によって係合部材が案内体に移動案内されてベース体の凹部内に向けて移動することにより、ラッチが押し回されて係合部材をベース体の凹部との間で挟み込んだロック状態となってポールによって回転ロックされる。
【００１０】
この第２の発明によれば、案内体をラッチに形成したことにより、ロック装置の構成を合理化することができる。
【００１１】
次に、第３の発明は、上述した第１又は第２の発明において、ロック装置は、車両用シートのシート本体に配設されている。係合部材は、支持体となる車体側構造体に設けられている。係合部材は、シート本体を車体フロア上の使用位置に移動させる動作によって、引き出されてロック装置と係合ロックする。しかし、係合部材は、この係合ロック状態を解除して、シート本体を車体フロア上の使用位置から移動させる動作によって、附勢によって車体側構造体に引き込まれる。
【００１２】
この第３の発明によれば、シート本体を車体フロア上の使用位置から移動させることにより、係合部材は附勢によって車体側構造体に引き込まれた状態となる。したがって、シート本体の設置されていた車体フロア上の使用位置スペースを広く確保することができるようになる。
【００１３】
次に、第４の発明は、上述した第１から第３のいずれかの発明において、案内体は、ロック装置が係合部材に接近する移動によって、係合部材と支持体との間の隙間内に入り込んで、係合部材をその隙間内に入り込んだ傾斜面によってベース体の凹部内に向けて移動案内する先細形状に形成されている。
【００１４】
この第４の発明によれば、案内体は、ロック装置の接近移動に伴って、その先細形状に形成された傾斜面を係合部材と支持体との間の隙間内に入り込ませて、係合部材をベース体の凹部内に向けて移動案内する。このように、係合部材を移動案内する案内体の構成を簡単化して具現化することができる。
【発明を実施するための最良の形態】
【００１５】
以下に、本発明を実施するための最良の形態の実施例について図面を用いて説明する。
【実施例１】
【００１６】
始めに、実施例１の車両用ロック構造の構成について、図１〜図６を用いて説明する。ここで、図１には、本実施例の車両用ロック構造の概略構成が示されている。この車両用ロック構造は、車両の最後部側座席として配設されており、着座部となるシート本体１を車体フロアＦ上の使用位置から車体天井Ｃ下の格納位置まで持ち上げて格納できるように構成されている。
【００１７】
このシート本体１は、背凭れとなるシートバック２と、着座部となるシートクッション３と、頭受けとなるヘッドレスト４とを有する。ここで、シートクッション３は、その左右両側の後端部が、リクライニング装置５によってシートバック２の下端部に起倒回転可能にヒンジ連結されている。ここで、リクライニング装置５は、シートクッション３をシートバック２の前方側に倒し込む動作によって、その内部に設けられたロック機構がロック作動して、シートクッション３の回転姿勢をその倒し込んだ回転位置にロックできるようになっている。
【００１８】
そして、このシートクッション３の回転ロック状態は、シートバック２の背面部に設けられた操作レバー７を操作者Ｐが後方側に倒し込む操作を行うことによって解除される。ここで、操作レバー７は、その下端部が連結軸７ａによってシートバック２の背面部に起倒回転可能にヒンジ連結されて設けられている。そして、この操作レバー７の倒し込み操作を行うことにより、シートクッション３は、シートバック２との間に掛着された図示しない附勢ばねの附勢力によって、リクライニング装置５の回転中心軸５ａのまわりに後方側に起こし上げられて、シートバック２の前面部に畳み込まれた姿勢となって保持される。
【００１９】
ところで、上述したシート本体１は、シートバック２の両肩口に一体的に連結された左右一対のリンク部材６によって、車体天井Ｃに回転可能にリンク連結されている。これにより、シート本体１は、リンク部材６が車体天井Ｃとの連結点（連結軸６ａ）を中心に回転する運動に伴って、車体フロアＦ上の使用位置と車体天井Ｃ下の格納位置との間を移動できるようになっている。
【００２０】
ここで、シート本体１は、常時は、シートバック２の背面部に設けられたバックロック装置１０を、車体側部Ｔに設置されたストライカＳ１に係合ロックさせることによって、車体フロアＦ上の使用位置に保持されている。ここで、図２に示されるように、バックロック装置１０は、シートバック２の背面部の左右両側の縁部に配設されており、ストライカＳ１は、このバックロック装置１０の配設位置に対応した車体側部Ｔの左右両側の位置に設けられている。ここで、バックロック装置１０が本発明のロック装置に相当し、ストライカＳ１が本発明の係合部材に相当し、車体側部Ｔが本発明の支持体に相当する。
【００２１】
上述したバックロック装置１０は、通常時は、シート本体１を車体フロアＦ上に落とし込む動作によってストライカＳ１と係合ロックすることのできるロック可能状態となっている。なお、このバックロック装置１０とストライカＳ１との係合ロック状態は、前述した操作レバー７を後方側に倒し込む操作によって解除できるようになっている。そして、バックロック装置１０とストライカＳ１との係合ロック状態が解除されることにより、シート本体１を車体フロアＦ上の使用位置から押し動かして車体天井Ｃ下の格納位置まで格納移動させることができる。
【００２２】
そして、このシート本体１の格納移動は、シートバック２の左右両側の下端部に設けられた天井ロック装置８が、車体天井Ｃ下に設置された対応するストライカＳ２にそれぞれ押し付けられて係合ロックすることにより、車体天井Ｃ下の格納位置に止められて保持される。ここで、天井ロック装置８は、常時は前述したバックロック装置１０と同じように、シート本体１の格納移動によってストライカＳ２に押し付けられることでストライカＳ２に係合ロックすることのできるロック可能状態とされて保持されている。
【００２３】
なお、この天井ロック装置８とストライカＳ２との係合ロック状態も、操作レバー７を後方側に倒し込む操作によって、上述したリクライニング装置５やバックロック装置１０と一緒になって解除操作されるようになっている。ここで、上述したシート本体１の格納移動は、操作レバー７の倒し込み操作がなされて行われるため、同操作によってシートクッション３がシートバック２の前面部に畳み込まれた状態で行われるようになっている。
【００２４】
次に、前述したバックロック装置１０と車体側部Ｔに設けられたストライカＳ１との係合ロック構造について説明をする。ここで、図３〜図６には、バックロック装置１０とストライカＳ１との係合ロック構造を車両上方側から見て表した模式図が示されている。なお、これらの図では、シート本体１を車体フロアＦ上の使用位置に戻し込んでいく移動方向が、図示右方側への移動方向として表されている。
【００２５】
ここで、図３に示されるように、ストライカＳ１は、車体側部Ｔから横向き（図示下向き）に突出して設けられており、バックロック装置１０と係合ロックする前の常時は、車体側部Ｔに引き込まれた状態として、車体側部Ｔからの突出量が抑えられた状態に保持されている。このストライカＳ１は、門形状のフレーム部材として形成されており、常時はその門形の両脚部が車体側部Ｔとの間に掛着された引張ばねＢａの附勢力によって車体側部Ｔに引き込まれた姿勢状態とされて保持されている。
【００２６】
そして、ストライカＳ１は、図４〜図６に示されるように、シート本体１を車体フロアＦ上の使用位置に戻し込む移動によって、バックロック装置１０が接近移動してくることにより、このバックロック装置１０に引掛けられて、引き出されながらバックロック装置１０に係合ロックするようになっている。以下、バックロック装置１０の構成について詳しく説明をする。すなわち、図３に示されるように、バックロック装置１０は、シートバック２の骨格部に固定設置されたベース体１１と、このベース体１１に回転可能に軸支連結されたラッチ１２及びポール１３と、このラッチ１２とポール１３との間に掛着された引張ばね１４と、解除ケーブル１５と、によって構成されている。
【００２７】
このバックロック装置１０は、ストライカＳ１がベース体１１に形成された凹状の受入口１１ａ内に押し込まれることによって、このストライカＳ１を受入口１１ａとの間でラッチ１２によって挟み込んだ状態にしてロックする係合ロック構造となっている。ここで、受入口１１ａが本発明の凹部に相当する。詳しくは、ラッチ１２は、支軸１２ｅによってベース体１１に回転可能に軸支連結されている。そして、ラッチ１２は、常時はその掛部１２ｃとポール１３の掛部１３ｃとの間に掛着された引張ばね１４の附勢力を受けて、図示反時計回りに回転附勢されて、その外周部に突出形成された角部１２ｄをポール１３の外周面に突き当てた初期位置の姿勢状態に保持されている。
【００２８】
ここで、ラッチ１２には、その初期位置の姿勢状態時に、ベース体１１に形成された受入口１１ａの口内に張り出す上顎１２ａと、ラッチ１２が初期位置から時計回りに回転した際に、受入口１１ａを塞ぐように移動する下顎１２ｂと、が形成されている。ここで、下顎１２ｂは、上顎１２ａとの間の開口を広げる形に大きく湾曲して形成されていると共に、先端が先細状に形成されており、上顎１２ａとの間の開口部の内周面が湾曲した傾斜面ｂｃとなって形成されている。
【００２９】
ここで、下顎１２ｂが本発明の案内体に相当する。この下顎１２ｂは、その初期位置の姿勢状態時には、その先端部を、シート本体１の移動方向（図示右方向）に向けた状態として、ベース体１１の受入口１１ａの口外に張り出させた姿勢状態に保持されている。これにより、下顎１２ｂは、シート本体１の使用位置に向けての移動に伴って、前述した車体側部Ｔに引き込み姿勢となっているストライカＳ１の枠部分と車体側部Ｔとの間の僅かな隙間内に入り込んで、ストライカＳ１の枠部分に内側からすくい掛けられるようになっている。
【００３０】
そして、下顎１２ｂがストライカＳ１に掛けられた状態から、シート本体１を使用位置に向けて更に進行移動させることにより、図４に示されるように、下顎１２ｂがストライカＳ１によって押し返される力によってラッチ１２が図示反時計回りに回転する。そして、このラッチ１２に押圧されたポール１３がベース体１１に形成されたストッパ１１ｂと当接することで、ラッチ１２やポール１３の回転運動が止められる。これにより、ストライカＳ１は、その後のシート本体１の更なる進行移動に伴って、ラッチ１２の下顎１２ｂの傾斜面ｂｃによって移動案内されながら、車体側部Ｔから引き出されてベース体１１の受入口１１ａの内部へと導かれていく（図５参照）。
【００３１】
次に、図３に戻って、ポール１３は、支軸１３ｅによってベース体１１に回転可能に軸支連結されている。そして、ポール１３は、常時は前述したラッチ１２との間に掛着された引張ばね１４の附勢力を受けて、図示時計回りに回転附勢された状態として、ラッチ１２の角部１２ｄに押し当てられた初期位置の姿勢状態に保持されている。このポール１３には、ラッチ１２が初期位置から時計回りに押し回された際に、その角部１２ｄと係止し合う爪部１３ｂが形成されている。
【００３２】
そして、ポール１３には、図１において前述した操作レバー７に繋がれて操作レバー７の倒し込み操作によって牽引操作される解除ケーブル１５が繋がれている。これにより、ポール１３は、解除ケーブル１５が牽引操作されることにより、引張ばね１４の附勢に抗して図示反時計回りに回転操作されるようになっている。なお、解除ケーブル１５には、その全長に遊びの長さが設定されており、図６において後述するように、ポール１３が回転操作されたラッチ１２に係合ロックする位置まで回転することにより、ポール１３によって牽引操作されて緊張状態となるようになっている。
【００３３】
上記構成のバックロック装置１０は、図５に示されるように、ストライカＳ１がベース体１１の受入口１１ａの内部に向けて入り込んでくることにより、下顎１２ｂがラッチ１２によって時計回りに押し動かされるようになる。これにより、図６に示されるように、ラッチ１２は、その時計回り方向への回転運動によって、引張ばね１４の附勢力によってポール１３を引き寄せて、その角部１２ｄにポール１３の爪部１３ｂを引き入れて互いに係止し合った状態となる。
【００３４】
これにより、ラッチ１２は、ベース体１１に形成されたストッパ１１ｃと当接する位置で、その時計回り方向への回転運動が規制されると共に、上述した角部１２ｄとポール１３の爪部１３ｂとの係合によって、その反時計回り方向への回転運動も規制された状態となり、双方向の回転がロックされた状態となる。
【００３５】
そして、上述したラッチ１２の時計回り方向への回転運動によって、下顎１２ｂがストライカＳ１の背後に回り込むかたちで移動して、受入口１１ａを塞ぎ込む。これにより、ストライカＳ１が受入口１１ａの内部において、ラッチ１２によって係合ロックされた状態として保持される。そして、このストライカＳ１の係合ロック状態は、操作レバー７の倒し込み操作によって解除ケーブル１５が牽引操作されることにより解除される。具体的には、解除ケーブル１５が牽引操作されると、ポール１３が反時計回り方向に回転操作される。
【００３６】
これにより、ポール１３の爪部１３ｂとラッチ１２の角部１２ｄとの係合状態が外されて、ラッチ１２が引張ばね１４の附勢力によって反時計回り方向に回転する。これにより、ストライカＳ１がラッチ１２の上顎１２ａによって押し出される格好で受入口１１ａから吐き出され、両者の係合ロック状態が解除される。そして、解除ケーブル１５の牽引操作状態が解かれることにより、ポール１３が再びラッチ１２の角部１２ｄに押し当てられた状態となり、バックロック装置１０は再びストライカＳ１と係合ロックすることのできるロック可能状態に戻される。
【００３７】
このように、本実施例の車両用ロック構造によれば、車体側部Ｔに設けられたストライカＳ１は、バックロック装置１０と係合ロックしていない時には、附勢によって車体側部Ｔに引き込まれた状態に保持される。そして、バックロック装置１０をこのストライカＳ１に向けて接近移動させることにより、バックロック装置１０に設けられたラッチ１２の下顎１２ｂがストライカＳ１に掛けられて、ストライカＳ１をベース体１１の凹部内に向けて引き出す方向に移動させる。
【００３８】
そして、ストライカＳ１は、ベース体１１の凹部内に受け入れられて、ラッチ１２によって挟み込まれた状態にロックされることにより、バックロック装置１０に係合ロックした状態として保持される。このように、バックロック装置１０にストライカＳ１を附勢に抗して引き出し操作することのできる案内体（ラッチ１２の下顎１２ｂ）を設けた簡素な構成によって、ストライカＳ１をバックロック装置１０の接近・離間移動に伴ってロック可能に突出させたり引込んだりする機構を構成することができる。
【００３９】
また、ストライカＳ１を車体側部Ｔに引き込まれた姿勢から附勢に抗して引き出してベース体１１の凹部内に移動案内する案内体をラッチ１２の下顎１２ｂとして形成したことにより、バックロック装置１０の構成を合理化することができる。
【００４０】
また、シート本体１を車体フロアＦ上の使用位置から移動させることにより、ストライカＳ１は附勢によって車体側部Ｔに引き込まれた状態となる。したがって、シート本体１の格納時には、シート本体１の設置されていた車体フロアＦ上の使用位置スペースを広く確保することができるようになる。
【００４１】
以上、本発明の実施形態を一つの実施例について説明したが、本発明は上記実施例のほか各種の形態で実施できるものである。すなわち、本発明が対象とする車両用ロック構造は、互いに係合ロック可能に構成されたロック装置と係合部材との組み合わせからなるロック構造であれば、上記実施例で示した用途以外にも、各種の形態で実施が可能である。
【００４２】
例えば、上記実施例では、本発明のロック構造が、シート本体を車体フロア上の使用位置に係合ロックさせるための用途に使われたものを示したが、シート本体１を車体天井下に持ち上げて格納ロックさせるために用いたり、車体フロアＦに凹み形成した凹部内に格納ロックさせるために用いたり、シート本体１を車体フロアＦ上から車両側方や前後方向に跳ね上げた位置に格納ロックするために用いたりすることもできる。
【００４３】
また、上記実施例では、本発明の案内体に相当する構成がバックロック装置のラッチの下顎として形成されたものを示したが、案内体は、ラッチとは別体の部品として、例えばベース体に回転可能に設けられていてもよい。また、係合部材（ストライカ）が、支持体（車体側部）に対して直線運動によって出没するタイプの構成を示したが、係合部材は回転運動によって出没運動する構成となっていてもよい。
【図面の簡単な説明】
【００４４】
【図１】実施例１の車両用ロック構造の概略構成を表した側面図である。
【図２】シート本体を格納したり使用位置に戻したりする操作状態を表した側面図である。
【図３】ラッチの先端部がストライカに掛け入れられた状態を表した模式図である。
【図４】ラッチの傾斜形状に案内されてストライカが引き出された状態を表した模式図である。
【図５】ストライカが更に引き出し操作された状態を表した模式図である。
【図６】ストライカがロック装置に係合ロックした状態を表した模式図である。
【符号の説明】
【００４５】
１      シート本体
２      シートバック
３      シートクッション
４      ヘッドレスト
５      リクライニング装置
５ａ    中心軸
６      リンク部材
６ａ    連結軸
７      操作レバー
７ａ    連結軸
８      天井ロック装置
１０    バックロック装置（ロック装置）
１１    ベース体
１１ａ  受入口（凹部）
１１ｂ  ストッパ
１１ｃ  ストッパ
１２    ラッチ
１２ａ  上顎
１２ｂ  下顎（案内体）
ｂｃ    傾斜面
１２ｃ  掛部
１２ｄ  角部
１２ｅ  支軸
１３    ポール
１３ｂ  爪部
１３ｃ  掛部
１３ｅ  支軸
１４    引張ばね
１５    解除ケーブル
Ｆ      車体フロア
Ｔ      車体側部（支持体）
Ｃ      車体天井
Ｓ１    ストライカ（係合部材）
Ｂａ    引張ばね
Ｓ２    ストライカ
Ｐ      操作者
【図１】
2010006211.tif 000003
【図２】
2010006211.tif 000004
【図３】
2010006211.tif 000005
【図４】
2010006211.tif 000006
【図５】
2010006211.tif 000007
【図６】
2010006211.tif 000008